(57)【要約】【課題】ガス膨張保護システムを備え、物品を収容する本来の機能に加えて、二輪車の転倒等の災難に遭遇した使用者の保護を図ることができる機能をも具えたものとする。【解決手段】本体部(10)と、ショルダーベルト(14L,14R) が設けられ、本体部が着脱可能に取り付けられる背負部(11)と、背負部に配されてガスの供給により収縮状態から膨張状態に移行するガス膨張バッグ(28,30,31)と、ガス膨張バッグにガスを供給する状態を背負部の状況に応じてとるガス供給手段(40)と本体部の背負部に対する取り付けを、本体部と背負部とを着脱可能に相互連結させることにより行い、本体部と背負部とが相互連絡されたもとでガス供給手段から供給されるガスによりガス膨張手段が膨張状態をとるとき、本体部の背負部から離隔する方向への移動を可能となす連結手段(50)とを備える。【選択図】図１
2006141567.tif 000002
【特許請求の範囲】
【請求項１】
物品を収容する本体部と、
ショルダーベルトが設けられ、上記本体部が着脱可能に取り付けられる背負部と、
上記背負部に配され、ガスの供給により収縮状態から膨張状態に移行するガス膨張手段と、
該ガス膨張手段にガスを供給する状態を上記背負部の状況に応じてとるガス供給手段と、
上記本体部の上記背負部に対する取り付けを、上記本体部と上記背負部とを着脱可能に相互連結させることにより行い、上記本体部と上記背負部とが相互連絡されたもとで上記ガス供給手段から供給されるガスにより上記ガス膨張手段が膨張状態をとるとき、上記本体部の上記背負部から離隔する方向への移動を可能となす連結手段と、
を備えて構成されるリュックサック。
【請求項２】
上記背負部の急激な移動に応答して、上記ガス供給手段に上記ガス膨張手段へガスを供給する状態をとらせるガス供給制御手段を備えることを特徴とする請求項１記載のリュックサック。
【請求項３】
上記背負部に、上記ショルダーベルトに加えてウエストベルトが配されたことを特徴とする請求項１記載のリュックサック。
【請求項４】
上記ガス膨張手段が、上記背負部を背負う使用者の背部，頸部，腰部，側腹部及び胸部の少なくとも１つを保護することができる部位に配されていることを特徴とする請求項３記載のリュックサック。
【請求項５】
上記ガス膨張手段が、上記背負部に加えて、上記ショルダーベルト及び上記ウエストベルトのうちの少なくとも一つに配されていることを特徴とする請求項３記載のリュックサック。
【請求項６】
上記ガス膨張手段が、上記背負部における上記本体部に対接する背後部分及び該背後部分の周囲部分のうちの少なくとも一つに配されていることを特徴とする請求項５記載のリュックサック。
【請求項７】
上記連結手段が、上記本体部と上記背負部との相互連結を、上記本体部を上記背負部に着脱可能に係合させて行う係合部材を含むものとされることを特徴とする請求項１記載のリュックサック。
【請求項８】
上記連結手段が、上記本体部が上記背負部に近接せしめられるとき折畳み状態をとり、上記本体部が上記背負部から離隔せしめられるとき伸長状態をとる伸縮連結部材を含むことを特徴とする請求項７記載のリュックサック。
【請求項９】
上記伸縮連結部材が、上記本体部に設けられて上記背負部と着脱可能に係合する状態をとることを特徴とする請求項８記載のリュックサック。
【請求項１０】
上記伸縮連結部材が、上記本体部及び上記背負部の夫々と着脱可能に係合する状態をとることを特徴とする請求項８記載のリュックサック。
【請求項１１】
上記本体部が、複数の物品収容部に分割されていることを特徴とする請求項１記載のリュックサック。
【発明の詳細な説明】
【技術分野】
【０００１】
本願の特許請求の範囲に記載された発明は、種々の物品を収容するものとして、例えば、自転車やオートバイ等の二輪車に乗る搭乗者により背負われて使用されるリュックサックに関する。
【背景技術】
【０００２】
エアバッグ等とされるガス膨張手段を有してベスト型あるいはジャケット型のものとして作成された救命胴衣が知られている。このような救命胴衣は、それに設けられたガス膨張手段がガスの供給により膨張してフロートあるいはクッションとしての役割を果たし、それを着用した使用者が遭遇する水難事故や雪崩滑落事故等に際して、当該使用者の保護を図るものとされる。また、ベスト型あるいはジャケット型に作成されて二輪車等に乗る搭乗者により着用されるものとされ、その搭乗者が二輪車から転落する等の事態がまねかれたとき、搭乗者の保護を図るようにされた胴衣も知られている（例えば、特許文献１参照。）。
【０００３】
このような二輪車等に乗る搭乗者の保護を図るものとされる胴衣にあっては、通常時においては、適宜定められる折り曲げラインに沿って折り畳まれた膨張気室と、状況に応じて膨張気室にガスを供給する起動装置とが備えられる。そして、例えば、その胴衣を着用した搭乗者が二輪車等から意図することなく急激に離隔する事態が発生すると、起動装置が作動して膨張気室にガスを供給し、それにより、折り畳み状態とされた膨張気室が折り曲げラインに沿って外側に急速膨張して展開状態をとるものとなり、その結果、搭乗者の保護が図られるようにされる。
【０００４】
上述のベスト型あるいはジャケット型とされる胴衣は、その使用者の安全が脅かされる事態の偶発が予想されるもとで使用者により着用される。このようなベスト型あるいはジャケット型とされて使用者に着用される胴衣に対し、使用者により背負われて使用され、物品の収容とされる本来的な機能に加えて、救命胴衣としての機能あるいは防災の機能をも備えるものとされたリュックサックが提案されている。
【０００５】
救命胴衣としての機能を備えたリュックサックとしては、夫々、クッション材として浮力材が用いられて形成された肩ベルト，背負部（背面クッション部）及び浮袋（フロート）が内蔵された背面バックと、背負部が着脱可能に取り付けられるバック本体とが備えられ、連結ベルトにより、肩ベルトと背負部とが相互連結されるとともに背負部と背面バックとが相互連結されて、肩ベルト，背負部及び背面バックが一連のものとされたものが知られている（例えば、特許文献２参照。）。
【０００６】
このようなリュックサックにあっては、通常時においては、リュックサック本来の役目を果たすべく、バック本体に背負部が取り付けられて持ち運ばれるが、救命胴衣として用いられるときには、バック本体が背負部から分離されるとともに、ガスボンベからのガスが浮袋に注入される。そして、バック本体が分離された背負部，肩ベルト及びガスが注入された浮袋を収納する背面バックにより、救命胴衣が形成される。このような救命胴衣は、それを着用した使用者と共に水中に浸かったとき、作用する浮力によって当該使用者の保護を図るものとされる。
【０００７】
また、防災の機能を備えたリュックサックとしては、リュックサック本体（ザック本体）と、ザック本体に一体的に形成されたあるいは着脱自在に配された頭巾と、ザック本体に取り付けられた背負い紐とが備えられたものが知られている（例えば、特許文献３参照。）。このリュックサックにあっては、頭巾の内側に、その頭巾を被る使用者の頭部や襟首を、例えば、震災時における落下物から保護するためのエアバッグが着脱自在に取り付けられるとともに、背負い紐に配されたエアバッグ収納部に、ザック本体を背負う使用者を、例えば、水難から保護するためのエアバッグが収納される。
【０００８】
さらには、防災の機能を備えたリュックサックの他のものとして、リュックサック本体，頭巾、及び、リュックサック本体と頭巾とを相互連結するとともに二つ折り状態とされて頭巾の収納部を形成する頭巾収納用帯を備えたものも知られている（例えば、特許文献４参照。）。このリュックサックにあっては、頭巾の内側に、その頭巾を被る使用者の頭部等を、例えば、地震時における落下物から保護するためのガスバッグが収納される。
【０００９】
頭巾がリュックサック本体と一体的に形成されたもの、あるいは、頭巾がリュックサック本体に着脱自在に配されたものとされるリュックサックにあっては、頭巾に着脱可能に取り付けられたエアバッグと、背負い紐に配されたエアバッグ収納部に収納されたエアバッグとの夫々に、ガスボンベを備えた自動ガス充填装置が設けられる。そして、背負い紐に配されたエアバッグ収納部に収納されたエアバッグに対して設けられた自動ガス充填装置は、それが水中に浸漬されると、エアバッグ収納部に収納されたエアバッグをガスボンベからのガスにより膨張させる状態に自動的におかれ、それにより膨張した当該エアバッグが浮袋としての役割を果たすものとされる。また、頭巾に着脱可能に取り付けられたエアバッグに対して設けられた自動ガス充填装置は、手動操作により、頭巾に着脱自在に取り付けられたエアバッグをガスボンベからのガスにより膨張させる状態におかれ、それにより膨張した当該エアバッグが頭巾を被る使用者の頭部や襟首を落下物等から保護する役割を果たすものとされる。
【００１０】
また、リュックサック本体と頭巾とを相互連結する頭巾収納用帯を備えたリュックサックにあっては、二つ折り状態とされて頭巾を収納する頭巾収納用帯は、リュックサック本体に着脱自在に係止されて二つ折り状態が維持される。そして、頭巾の内側において排気状態とされて収納されているガスバッグへのガスの供給は、そのガスバッグに備えられたガス充填装置が手動操作により作動せしめられることにより行われる。そして、ガス充填装置からのガスがガスバッグに供給されると、そのガスによるガスバッグの膨張によって頭巾収納用帯のリュックサック本体に対する係止が外れ、二つ折り状態とされた頭巾収納用帯が頭巾を外部に露出させる開放状態に移行する。このように開放状態とされた頭巾収納用帯は、リュックサック本体を背負う使用者の襟首部を防護する。また、外部に露出した頭巾は、リュックサック本体を背負う使用者の頭部を覆うものとされることにより、膨張したエアバックは当該使用者の頭部等を保護するものとされる。
【特許文献１】特開２００２−２０９０７号公報
【特許文献２】特開２００４−４１３９２号公報
【特許文献３】特開平９−１３１２２２号公報
【特許文献４】特開平１０−３２３２２４号公報
【発明の開示】
【発明が解決しようとする課題】
【００１１】
近年、リュックサックは、トレッキングやハイキング等の場合に限られることなく、広く日常的に用いられるものとされてきている。従って、このような日常的に用いられるリュックサックが、その使用者の安全及び保護を図る機能をも有するものとされる場合には、例えば、使用者の保護を図るためのベスト型あるいはジャケット型とされる胴衣の着用がなされなくても、使用者の保護が図られることになる。
【００１２】
ところが、前述のような、肩ベルト，背負部及び背面バックが一連のものとされたリュックサックにあっては、クッション材として浮力材が用いられた肩ベルト，バック本体が分離された背負部及び背面バック、及び、ガスが注入された浮袋に作用する浮力によって、水中に浸かった使用者の安全を図るものとされる。また、同じく前述のような、頭巾がリュックサック本体と一体的に形成されたもの、あるいは、頭巾がリュックサック本体に着脱自在に配されたもの、さらには、リュックサック本体と頭巾とを相互連結する頭巾収納用帯を備えたものとされるリュックサックの夫々にあっては、取り分け、地震が発生したとき用いられることが前提とされていて、使用者を落下物から保護するものとされている。従って、これらのリュックサックは、例えば、その使用者が自転車やオートバイ等の二輪車に搭乗した状況のもとで二輪車の転倒等の災難に遭遇したとき、使用者の保護を図ることができるものとはされていない。
【００１３】
また、このようなリュックサックに対し、前述の膨張気室が設けられたベスト型あるいはジャケット型のものとして作成され、二輪車等に乗る搭乗者により着用される胴衣は、搭乗者が二輪車等から転落する等の事態がまねかれたとき、膨張気室が起動装置からのガスにより急速膨張して搭乗者の保護を図るものとされているが、ベスト型あるいはジャケット型の胴衣であることによる問題を伴っている。即ち、ベスト型あるいはジャケット型のものとして作成された胴衣は、使用者が着用するものであることから、そのデザイン等が好き嫌いの対象とされて普及し難いという問題、さらには、一つのアイテムについて複数種のサイズのものを用意することが要求され、それにより生産コストが嵩むという問題等があり、それに加えて、気温の高い季節には使用が嫌われるという問題もある。
【００１４】
それゆえ、一つのアイテムに対して要求されるサイズの種類が、ベスト型あるいはジャケット型とされる胴衣に比して少とされるリュックサックが、その使用者が、例えば、自転車やオートバイ等の二輪車に搭乗した状況にあるもとで二輪車の転倒等の災難に遭遇したとき、使用者の保護を図ることができる、ガス膨張手段と状況に応じてそれにガスを供給するガス供給手段とを含んで構成されるガス膨張保護システムを備えたものとされることが望まれるところとなる。このようなガス膨張保護システムを備えたリュックサックは、リュックサックが、元来、季節の如何に関係なく、広く日常的に用いられるものであることからして、その広範に亙る普及が期待できるものである。
【００１５】
しかしながら、従来においては、その使用者が、例えば、自転車やオートバイ等の二輪車に搭乗した状況にあるもとで二輪車の転倒等の災難に遭遇したとき、使用者の保護を図ることができるガス膨張保護システムを備えたリュックサックは見当たらず、また、そのようなリュックサックが記載された文書等も見当たらない。
【００１６】
斯かる点に鑑み、本願の特許請求の範囲に記載された発明は、ガス膨張手段と状況に応じてそれにガスを供給するガス供給手段とを含んで構成されるガス膨張保護システムが設けられていて、物品を収容する本来の機能に加え、その使用者が、例えば、自転車やオートバイ等の二輪車に搭乗した状況にあるもとで二輪車の転倒等の災難に遭遇したとき、使用者の保護を図ることができる機能をも具えたリュックサックを提供する。
【課題を解決するための手段】
【００１７】
本願の特許請求の範囲における請求項１から請求項１１までのいずれかに記載された発明に係るリュックサックは、物品を収容する本体部と、ショルダーベルトが設けられ、本体部が着脱可能に取り付けられる背負部と、背負部に配され、ガスの供給により収縮状態から膨張状態に移行するガス膨張手段と、ガス膨張手段にガスを供給する状態を背負部の状況に応じてとるガス供給手段と、本体部の背負部に対する取り付けを、本体部と背負部とを着脱可能に相互連結させることにより行い、本体部と背負部とが相互連絡されたもとでガス供給手段から供給されるガスによりガス膨張手段が膨張状態をとるとき、本体部の背負部から離隔する方向への移動を可能となす連結手段と、を備えて構成される。
【００１８】
特に、本願の特許請求の範囲における請求項２に記載された発明に係るリュックサックは、背負部の急激な移動に応答して、ガス供給手段にガス膨張手段へガスを供給する状態をとらせるガス供給制御手段を備えるものとされる。
【発明の効果】
【００１９】
本願の特許請求の範囲における請求項１から請求項１１までのいずれかに記載された発明に係るリュックサックにあっては、背負部に配されたガス膨張手段とガス供給手段とが、ガス膨張保護システムを構成するものとされる。そして、このリュックサックにあっては、使用者により背負われて使用されているもとで、例えば、使用者の背上に配された背負部が急激に移動するとき、ガス膨張保護システムが作動する。ガス膨張保護システムが作動するときには、ガス供給手段からのガスがガス膨張手段に供給されてガス膨張手段が膨張するが、その際、背負部に本体部が取り付けられた状態にあると、膨張するガス膨張手段によって、背負部に取り付けられていた本体部が背負部から離隔する方向に移動せしめられ、それにより、ガス膨張手段が、本体部に妨げられることなく、急速かつ確実に膨張することができるものとされる。また、背負部に本体部が取り付けられていない状態で使用者により背負われて使用されているもとでは、例えば、使用者の背上に配された背負部が急激に移動してガス膨張保護システムが作動し、ガス供給手段からのガスがガス膨張手段に供給されると、ガス膨張手段は、他のものからの干渉を受けることなく、急速かつ確実に膨張する。
【００２０】
従って、本願の特許請求の範囲における請求項１から請求項１１までのいずれかに記載された発明に係るリュックサックは、それを背負って使用する使用者が、例えば、自転車やオートバイ等の二輪車に搭乗した状況にあるもとで二輪車の転倒等の災難に遭遇したとき等において、背負部に本体部が取り付けられているか否かにかかわらず、ガス膨張手段が急速かつ確実に膨張するものとされる。その結果、このようなリュックサックによれば、物品を収容するものとしての本来の使い方をすることができることに加え、その使用者が、例えば、自転車やオートバイ等の二輪車に搭乗した状況にあるもとで二輪車の転倒等の災難に遭遇したとき、使用者の保護が確実に図られることになる。
【００２１】
しかも、本願の特許請求の範囲における請求項１から請求項１１までのいずれかに記載された発明に係るリュックサックは、その使用者が着用するというものではないので、デザインあるいはサイズ等の面からの、あるいは、季節の如何による、使用者の使用に対する抵抗感が比較的小とされる利点が得られるものとなる。
【発明を実施するための最良の形態】
【００２２】
本願の特許請求の範囲における請求項１から請求項１１までのいずれかに記載された発明を実施するための最良の形態は、以下に述べられる実施例１，実施例２及び実施例３をもって説明される。
【実施例１】
【００２３】
図２及び図３は、本願の特許請求の範囲における請求項１から請求項１０までのいずれかに記載された発明に係るリュックサックの一例（実施例１）を示す。
【００２４】
図２及び図３に示される例にあっては、種々の物品を収容する本体部１０と、左右のウエストベルト１３Ｌ及び１３Ｒ、及び、左右のショルダーベルト１４Ｌ及び１４Ｒが配された背負部１１とが備えられている。背負部１１は、それが使用者により背負われたときその使用者の背部に対接する使用者側対接部１１Ａと、使用者側対接部とは反対側に位置し、本体部１０に対向する本体部側対向部１１Ｂとを有し、上端部にバッグ収納部１６が設けられたものとされている。
【００２５】
図４及び図５に示される如く、ウエストベルト１３Ｌ及び１３Ｒの夫々には、折り畳まれて収縮状態とされたガス膨張バッグ２０が収納されたバッグ収納部２１とそれから伸びる細帯部２２とが設けられている。ガス膨張バッグ２０には、状況に応じて、後述されるガス供給手段４０からのガスが、例えば、図示が省略されたガス通路を通じて供給される。また、ショルダーベルト１４Ｌ及び１４Ｒの夫々にも、折り畳まれて収縮状態とされたガス膨張バッグ２４が収納されたバッグ収納部２５とそれから伸びる細帯部２６とが設けられている。ガス膨張バッグ２５にも、状況に応じて、後述されるガス供給手段４０からのガスが、例えば、図示が省略されたガス通路を通じて供給される。
【００２６】
ウエストベルト１３Ｌは、そのバッグ収納部２１が背負部１１の下方左側部に取り付けられていて、バッグ収納部２１から伸びる細帯部２２の先端部に係合部２７Ａが設けられたものとされている。また、ウエストベルト１３Ｒは、そのバッグ収納部２１が背負部１１の下方右側部に取り付けられていて、バッグ収納部２１から伸びる細帯部２２の先端部に、係合部２７Ａと選択的に相互係合状態におかれる被係合部２７Ｂが設けられたものとされている。係合部２７Ａと被係合部２７Ｂとは、背負部１１を背負った使用者に対するウエストベルト１３Ｌ及び１３Ｒの装着を確実なものとするための相互係合状態と、互いに離隔する分離状態とを、選択的にとる。
【００２７】
ショルダーベルト１４Ｌにおいては、そのバッグ収納部２５が背負部１１の上端部に取り付けられるとともに、バッグ収納部２５から伸びる細帯部２６が、ウエストベルト１３Ｌのバッグ収納部２１に取り付けられている。また、ショルダーベルト１４Ｒにおいても、そのバッグ収納部２５が背負部１１の上端部に取り付けられるとともに、バッグ収納部２５から伸びる細帯部２６が、ウエストベルト１３Ｒのバッグ収納部２１に取り付けられている。
【００２８】
前述の背負部１１に設けられたバッグ収納部１６にも、折り畳まれて収縮状態とされたガス膨張バッグ２８が収納されている。そして、ガス膨張バッグ２８にも、状況に応じて、後述されるガス供給手段４０からのガスが、例えば、図示が省略されたガス通路を通じて供給される。
【００２９】
バッグ収納部１６に収納されたガス膨張バッグ２８は、ガス供給手段４０からのガスが供給されるとき、そのガスにより急速膨張するものとされて、バッグ収納部１６の外部に飛び出す膨張状態をとる。それにより、背負部１１を背負った使用者の頸部及びその周囲部分のそれらに加えられる衝撃等からの保護が図られる。また、ウエストベルト１３Ｌ及び１３Ｒの夫々に設けられたバッグ収納部２１に収納されたガス膨張バッグ２０は、ガス供給手段４０からのガスが供給されるとき、そのガスにより急速膨張するものとされて、バッグ収納部２１の外部に飛び出す膨張状態をとる。それにより、背負部１１を背負った使用者の側腹部及びその周囲部分のそれらに加えられる衝撃等からの保護が図られる。さらに、ショルダーベルト１４Ｌ及び１４Ｒの夫々に設けられたバッグ収納部２５に収納されたガス膨張バッグ２４は、ガス供給手段４０からのガスが供給されるとき、そのガスにより急速膨張するものとされて、バッグ収納部２５の外部に飛び出す膨張状態をとる。それにより、背負部１１を背負った使用者の胸部及びその周囲部分のそれらに加えられる保護が図られる。
【００３０】
なお、バッグ収納部１６，２１及び２５の夫々は、図示が省略されているが、例えば、マジックファスナー（登録商標）等が用いられて開閉が容易とされたバッグ用開口部が設けられている。それにより、収縮状態をとるガス膨張バッグ２８，２０及び２４の夫々は、ガスの供給を受けて急速膨張するとき、バッグ収納部１６，２１あるいは２５に設けられたバッグ用開口部を瞬時に開状態として、その開状態とされたバッグ用開口部を通じて外部に飛び出す膨張状態を、確実にとることができるものとされる。
【００３１】
背負部１１にあっては、その本体部側対向部１１Ｂに、折り畳まれて収縮状態とされた２つのガス膨張バッグ３０及び３１が上下方向に配されるとともに、本体部１０が着脱可能に取り付けられる。ガス膨張バッグ３０及び３１の夫々にも、状況に応じて、後述されるガス供給手段４０からのガスが、例えば、図示が省略されたガス通路を通じて供給される。ガス供給手段４０からのガスが供給されたガス膨張バッグ３０及び３１の夫々は、そのガスによる急速膨張を行う。さらに、本体部側対向部１１Ｂには、図示が省略されているが、ガスを受けて急速膨張するガス膨張バッグ３０及び３１の夫々を本体部側対向部１１Ｂ外に飛び出させるための、例えば、マジックファスナー（登録商標）等が用いられて開閉が容易とされたバッグ用開口部が設けられている。
【００３２】
ガス膨張バッグ３０及び３１のうちの上方側に位置するガス膨張バッグ３０は、ガス供給手段４０からのガスが供給されるとき、そのガスにより急速膨張して、背負部１１における本体部側対向部１１Ｂからバッグ用開口部を通じて外部に飛び出し、背負部１１を背負った使用者の背部及びその周囲部分のそれらに加えられる衝撃等からの保護を図るものとされている。また、ガス膨張バッグ３０及び３１のうちの下方側に位置するガス膨張バッグ３１は、ガス供給手段４０からのガスが供給されるとき、そのガスにより急速膨張して、背負部１１における本体部側対向部１１Ｂからバッグ用開口部を通じて外部に飛び出し、背負部１１を背負った使用者の腰部及びその周囲部分のそれらに加えられる衝撃等からの保護を図るものとされている。
【００３３】
本体部１０は、図１及び図６に示されるように、背負部１１からの取り外しができるものとされている。そのため、本体部１０及び背負部１１には、それらを着脱可能に相互連結させ、それにより、本体部１０を背負部１１に着脱可能に取り付ける連結手段５０が設けられている。
【００３４】
連結手段５０は、本体部１０の周縁端部に連結される第１の開口端部３５Ａと背負部１１の周縁端部に連結される第２の開口端部３５Ｂとを有した環状伸縮部材３５と、本体部１０の周縁端部に環状伸縮部材３５の第１の開口端部３５Ａが連結される部分に、所定の相互間距離を有して配された複数のホック機構を形成する係合部材３７Ａと、背負部１１の周縁端部に環状伸縮部材３５の第２の開口端部３５Ｂが連結される部分に、所定の相互間距離を有して配された複数のホック機構を形成する被係合部材３７Ｂとを含んで構成されている。環状伸縮部材３５にあっては、第１の開口端部３５Ａと第２の開口端部３５Ｂとの間に環状の折り目３５Ｃが設けられていて、折り目３５Ｃを挟んで第１の開口端部３５Ａと第２の開口端部３５Ｂとが相互に近接するように折り畳まれることにより収縮状態がとられ、折り目３５Ｃを挟んで第１の開口端部３５Ａと第２の開口端部３５Ｂとが相互に離隔するように引き伸ばされることにより伸長状態がとられる。
【００３５】
本体部１０の周縁端部と環状伸縮部材３５の第１の開口端部３５Ａとの連結、及び、背負部１１の周縁端部と環状伸縮部材３５の第２の開口端部３５Ｂとの連結は、夫々、例えば、チャック，ジッパー等と呼ばれることが多いファスナー機構により行われ、このファスナー機構も連結手段５０を構成している。例えば、背負部１１の周縁端部と環状伸縮部材３５の第２の開口端部３５Ｂとを連結するファスナー機構は、環状伸縮部材３５の第２の開口端部３５Ｂに設けられた環状エレメント３８Ａと背負部１１の周縁端部に沿って配された環状エレメント３８Ｂとを含んで構成される。そして、環状エレメント３８Ａと環状エレメント３８Ｂとは、相互係合状態と非係合状態とを選択的にとるものとされ、相互係合状態をとるとき、背負部１１の周縁端部と環状伸縮部材３５の第２の開口端部３５Ｂとを連結し、非係合状態をとるとき、背負部１１の周縁端部と環状伸縮部材３５の第２の開口端部３５Ｂとの連結を解除する。本体部１０の周縁端部と環状伸縮部材３５の第１の開口端部３５Ａとを連結するファスナー機構も、環状エレメント３９Ａ及び３９Ｂを有して、背負部１１の周縁端部と環状伸縮部材３５の第２の開口端部３５Ｂとを連結するファスナー機構と同様に構成される。
【００３６】
本体部１０の周縁端部における環状伸縮部材３５の第１の開口端部３５Ａが連結される部分に配された複数の係合部材３７Ａと、背負部１１の周縁端部における環状伸縮部材３５の第２の開口端部３５Ｂが連結される部分に配された複数の被係合部材３７Ｂとは、本体部１０の周縁端部に第１の開口端部３５Ａが連結されるとともに背負部１１の周縁端部に第２の開口端部３５Ｂが連結された環状伸縮部材３５に収縮状態をとらせ、本体部１０を背負部１１における本体部側対向部１１Ｂに、収縮状態をとる環状伸縮部材３５を挟んで、近接させたもとで、図４に示されるように、対応するもの同士が相互離脱可能に相互係合状態をとるものとされる。このようにして、複数の係合部材３７Ａと複数の被係合部材３７Ｂとにおける対応するもの同士が相互係合状態をとることにより、図４に示されるように、本体部１０と背負部１１とが、連結手段５０により、本体部１０が背負部１１に近接した状態で相互連結され、本体部１０が背負部１１に取り付けられた状態がとられる。
【００３７】
また、図６あるいは図７に示されるように、複数の係合部材３７Ａと複数の被係合部材３７Ｂとにおける対応するもの同士が相互離脱状態とされるときには、図７に示されるように、本体部１０の周縁端部に第１の開口端部３５Ａが連結されるとともに背負部１１の周縁端部に第２の開口端部３５Ｂが連結された環状伸縮部材３５に伸長状態をとらせて、本体部１０を背負部１１から離隔させることが可能とされ、さらに、環状伸縮部材３５の第２の開口端部３５Ｂと背負部１１の周縁端部との連結，環状伸縮部材３５の第１の開口端部３５Ａと本体部１０との連結、あるいは、それらの両方が解除されたもとでは、例えば、図１あるいは図６に示されるように、本体部１０を背負部１１から取り外すことが可能とされる。
【００３８】
なお、本体部１０の周縁端部と環状伸縮部材３５の第１の開口端部３５Ａとの連結、及び、背負部１１の周縁端部と環状伸縮部材３５の第２の開口端部３５Ｂとの連結を行うファスナー機構は、夫々、例えば、チャック，ジッパー等と呼ばれることが多いものに代えて、マジックファスナー（登録商標）等と呼ばれることが多いものが用いられて構成されてもよい。
【００３９】
背負部１１の本体部側対向部１１Ｂには、例えば、炭酸ガスが充填されたガスボンベを内蔵するガス供給手段４０が配されており、ガス供給手段４０には、先端部に接続部４１Ａが設けられたワイヤー４１が取り付けられている。また、図示が省略されているが、ガス供給手段４０に内蔵されたガスボンベのガス排出口は、ガス通路を通じて、背負部１１に設けられたバッグ収納部１６に収納されたガス膨張バッグ２８，ウエストベルト１３Ｌ及び１３Ｒの夫々に設けられたバッグ収納部２１に収納されたガス膨張バッグ２０，ショルダーベルト１４Ｌ及び１４Ｒの夫々に設けられたバッグ収納部２５に収納されたガス膨張バッグ２４、及び、背負部１１の本体部側対向部１１Ｂに配されたガス膨張バッグ３０及び３１の夫々に連結されている。
【００４０】
そして、ガス供給手段４０は、ワイヤー４１を通じて所定以上の引っ張り力が作用せしめられるとき、内蔵するガスボンベのガス排出口を閉状態から開状態に移行させ、ガスボンベからのガスを、ガス通路を通じて、背負部１１に設けられたバッグ収納部１６に収縮状態とされて収納されたガス膨張バッグ２８，ウエストベルト１３Ｌ及び１３Ｒの夫々に設けられたバッグ収納部２１に収縮状態とされて収納されたガス膨張バッグ２０，ショルダーベルト１４Ｌ及び１４Ｒの夫々に設けられたバッグ収納部２５に収縮状態とされて収納されたガス膨張バッグ２４、及び、背負部１１の本体部側対向部１１Ｂに収縮状態とされて配されたガス膨張バッグ３０及び３１の夫々に供給する。
【００４１】
ガス供給手段４０に取り付けられたワイヤー４１は、背負部１１を背負った使用者が、例えば、オートバイ等の二輪車に搭乗する際に、そのオートバイに備えられたフレームの一部等に先端部４１Ａが着脱可能に係止されて、オートバイに連結される。このようなもとで、オートバイに搭乗した使用者が転倒等の災難に遭遇して急激に移動すると、その使用者に背負われた背負部１１も急激に移動し、それにより、ワイヤー４１が、弛緩状態から緊張状態に急激に移行する。その際、ワイヤー４１を通じてガス供給手段４０に所定以上の引っ張り力が作用せしめられて、ガス供給手段４０におけるガスボンベのガス排出口が閉状態から開状態に移行する。その結果、ガス供給手段４０が、内蔵するガスボンベからのガスを、ガス通路を通じて、背負部１１に設けられたバッグ収納部１６に収縮状態とされて収納されたガス膨張バッグ２８，ウエストベルト１３Ｌ及び１３Ｒの夫々に設けられたバッグ収納部２１に収縮状態とされて収納されたガス膨張バッグ２０，ショルダーベルト１４Ｌ及び１４Ｒの夫々に設けられたバッグ収納部２５に収縮状態とされて収納されたガス膨張バッグ２４、及び、背負部１１の本体部側対向部１１Ｂに収縮状態とされて配されたガス膨張バッグ３０及び３１の夫々に供給する状態におかれる。
【００４２】
ガス供給手段４０に内蔵されたガスボンベからのガスが供給されるガス膨張バッグ２８，２０，２４，３０及び３１の夫々は、そのガスを受けて急速膨張し、夫々、バッグ収納部１６，２１及び２５さらには背負部１１の本体部側対向部１１Ｂからバッグ用開口部を通じて外部に飛び出す。
【００４３】
即ち、ワイヤー４１は、背負部１１の急激な移動に応答して、ガス供給手段４０に、それに内蔵されたガスボンベからのガスを、背負部１１に設けられたバッグ収納部１６に収縮状態とされて収納されたガス膨張バッグ２８，ウエストベルト１３Ｌ及び１３Ｒの夫々に設けられたバッグ収納部２１に収縮状態とされて収納されたガス膨張バッグ２０，ショルダーベルト１４Ｌ及び１４Ｒの夫々に設けられたバッグ収納部２５に収縮状態とされて収納されたガス膨張バッグ２４、及び、背負部１１の本体部側対向部１１Ｂに収縮状態とされて配されたガス膨張バッグ３０及び３１の夫々に供給する状態をとらせるガス供給制御手段を形成しているのである。
【００４４】
上述のような環状伸縮部材３５を含んで構成される連結手段５０が備えられた、本願の特許請求の範囲における請求項１から請求項１０までのいずれかに記載された発明に係るリュックサックの一例、即ち、実施例１にあっては、ガス膨張バッグ２０，２４，２８，３０及び３１の夫々が、ガスの供給により収縮状態から膨張状態に移行するガス膨張手段を形成している。また、このようなガス膨張バッグ２０，２４，２８，３０及び３１が形成するガス膨張手段，ガスボンベを内蔵するガス供給手段４０、及び、ガス供給手段４０に取り付けられたワイヤー４１が形成するガス供給制御手段を含む部分によって、ガス膨張保護システムが構成されている。
【００４５】
そして、実施例１が使用者により背負われて使用されているもとで、例えば、使用者の背上に配された背負部１１が急激に移動すると、ガス膨張保護システムが作動する。その際には、背負部１１の急激な移動に応答したワイヤー４１を通じて、ガス供給手段４０に所定以上の引っ張り力が作用せしめられ、ガス供給手段４０におけるガスボンベのガス排出口が閉状態から開状態に移行して、前述のように、ガス供給手段４０が、内蔵するガスボンベからのガスを、ガス通路を通じて、背負部１１に設けられたバッグ収納部１６に収縮状態とされて収納されたガス膨張バッグ２８，ウエストベルト１３Ｌ及び１３Ｒの夫々に設けられたバッグ収納部２１に収縮状態とされて収納されたガス膨張バッグ２０，ショルダーベルト１４Ｌ及び１４Ｒの夫々に設けられたバッグ収納部２５に収縮状態とされて収納されたガス膨張バッグ２４、及び、背負部１１の本体部側対向部１１Ｂに収縮状態とされて配されたガス膨張バッグ３０及び３１の夫々に供給する状態におかれる。
【００４６】
それにより、ガス膨張バッグ２８，２０，２４，３０及び３１の夫々が、供給されるガスにより急速膨張するが、その際、図４に示されるように、本体部１０と背負部１１とが、連結手段５０により、本体部１０が背負部１１に近接した状態で相互連結され、本体部１０が背負部１１に取り付けられた状態にあるときには、以下のような動作が行われる。即ち、図８に示されるように、ガス膨張バッグ２８が、バッグ収納部１６に設けられたバッグ用開口部を通じて外部に飛び出す急速膨張を確実に行って、背負部１１を背負った使用者の頸部及びその周囲部分の保護を図るものとなり、２つのガス膨張バッグ２０の夫々が、バッグ収納部２１に設けられたバッグ用開口部を通じて外部に飛び出す急速膨張を確実に行って、背負部１１を背負った使用者の左右側腹部及びその周囲部分の保護を図るものとなり、２つのガス膨張バッグ２４の夫々が、バッグ収納部２５に設けられたバッグ用開口部を通じて外部に飛び出す急速膨張を確実に行って、背負部１１を背負った使用者の左右胸部及びその周囲部分の保護を図るものとなる。さらに、ガス膨張バッグ３０及び３１が、急速膨張に伴って本体部１０を背負部１１の背後側に押圧し、複数のホック機構を形成するものとして相互係合状態にあった複数の係合部材３７Ａと複数の被係合部材３７Ｂとにおける、対応するもの同士に相互離脱状態をとらせ、環状伸縮部材３５を収縮状態から伸長状態に移行させつつ、本体部１０を背負部１１から離隔する方向に移動させる。それにより、ガス膨張バッグ３０及び３１の夫々が、図８に示されるように、本体部１０と背負部１１との間において、背負部１１の本体部側対向部１１Ｂに設けられたバッグ用開口部を通じて外部に飛び出す急速膨張を、本体部１０に妨げられることなく、確実に行って、背負部１１を背負った使用者の背部，腰部及びそれらの周囲部分の保護を図るものとなる。
【００４７】
また、ガス膨張バッグ２８，２０，２４，３０及び３１の夫々が、供給されるガスにより急速膨張する際に、例えば、図１あるいは図６に示されるように、本体部１０が背負部１１から取り外された状態にあるときには、以下のような動作が行われる。即ち、図９に示されるように、ガス膨張バッグ２８が、バッグ収納部１６に設けられたバッグ用開口部を通じて外部に飛び出す急速膨張を確実に行って、背負部１１を背負った使用者の頸部及びその周囲部分の保護を図るものとなり、２つのガス膨張バッグ２０の夫々が、バッグ収納部２１に設けられたバッグ用開口部を通じて外部に飛び出す急速膨張を確実に行って、背負部１１を背負った使用者の左右側腹部及びその周囲部分の保護を図るものとなり、２つのガス膨張バッグ２４の夫々が、バッグ収納部２５に設けられたバッグ用開口部を通じて外部に飛び出す急速膨張を確実に行って、背負部１１を背負った使用者の左右胸部及びその周囲部分の保護を図るものとなり、ガス膨張バッグ３０及び３１の夫々が、背負部１１の本体部側対向部１１Ｂに設けられたバッグ用開口部を通じて外部に飛び出す急速膨張を、他のものからの干渉を受けることなく、確実に行って、背負部１１を背負った使用者の背部，腰部及びそれらの周囲部分の保護を図るものとなる。
【００４８】
なお、図示が省略されているが、ガス膨張バッグ２８，２０，２４，３０及び３１の夫々には、ガスが供給されて急速膨張した後に供給されたガスを排気するための、１個もしくは複数個の小孔が設けられる。
【実施例２】
【００４９】
図１０，図１１及び図１２は、本願の特許請求の範囲における請求項１１に記載された発明に係るリュックサックの一例（実施例２）を示す。
【００５０】
図１０，図１１及び図１２に示される例にあっては、図１，図２及び図３に示される例における本体部１０に対応する、物品を収容する本体部が、２個の物品収容部５１及び５２に分割されて構成されている。また、図１，図２及び図３に示される例における環状伸縮部材３５を含んで構成される連結手段５０に代わるものとして、伸縮部材５４及び５５を夫々含んで構成される２個の連結手段６０及び６１が備えられている。図１０，図１１及び図１２に示される例における他の部分及び部材等は、図１，図２及び図３に示される例におけるものと略同様のものとされるので、図１０，図１１及び頭１２に示される例にあっては、図１，図２及び図３に示される例における各部及び各部材と同様とされる部分及び部材については、図１，図２及び図３に示される例における各部及び各部材と共通の符号が付されて示されており、それらについての重複説明は省略される。
【００５１】
図１０，図１１及び図１２に示される例においては、２個の物品収容部５１及び５２に分割されて構成されている本体部が、背負部１１の本体部側対向部１１Ｂに着脱可能に取り付けられる。そして、本体部を構成する物品収容部５１及び５２は、図１０に示されるように、あるいは、図１３に示されるように、背負部１１からの取り外しができるものとされている。そのため、物品収容部５１及び背負部１１には、それらを着脱可能に相互連結させ、それにより、物品収容部５１を背負部１１に着脱可能に取り付ける連結手段６０が設けられており、また、物品収容部５２及び背負部１１には、それらを着脱可能に相互連結させ、それにより、物品収容部５２を背負部１１に着脱可能に取り付ける連結手段６１が設けられている。
【００５２】
連結手段６０は、物品収容部５１に連結される第１の端部５４Ａと背負部１１に連結される第２の端部５４Ｂとを有した伸縮部材５４と、物品収容部５１における伸縮部材５４の第１の端部５４Ａが連結される部分に、所定の相互間距離を有して配された複数のホック機構を形成する係合部材５６Ａと、背負部１１における伸縮部材５４の第２の端部５４Ｂが連結される部分に、所定の相互間距離を有して配された複数のホック機構を形成する被係合部材５６Ｂとを含んで構成されている。伸縮部材５４にあっては、第１の端部５４Ａと第２の端部５４Ｂとの間に環状の折り目５４Ｃが設けられていて、折り目５４Ｃを挟んで第１の端部５４Ａと第２の端部５４Ｂとが相互に近接するように折り畳まれることにより収縮状態がとられ、折り目５４Ｃを挟んで第１の端部５４Ａと第２の端部５４Ｂとが相互に離隔するように引き伸ばされることにより伸長状態がとられる。
【００５３】
物品収容部５１と伸縮部材５４の第１の端部５４Ａとの連結、及び、背負部１１と伸縮部材５４の第２の端部５４Ｂとの連結は、夫々、例えば、チャック、ジッパー等と呼ばれることが多いファスナー機構により行われ、このファスナー機構も連結手段６０を構成している。例えば、背負部１１と伸縮部材５４の第２の端部５４Ｂとを連結するファスナー機構は、伸縮部材５４の第２の端部５４Ｂに設けられたエレメント５８Ａと背負部１１に配されたエレメント５８Ｂとを含んで構成される。そして、エレメント５８Ａとエレメント５８Ｂとは、相互係合状態と非係合状態とを選択的にとるものとされ、相互係合状態をとるとき、背負部１１と伸縮部材５４の第２の端部５４Ｂとを連結し、非係合状態をとるとき、背負部１１と伸縮部材５４の第２の端部５４Ｂとの連結を解除する。物品収容部５１と伸縮部材５４の第１の端部５４Ａとを連結するファスナー機構も、エレメント５９Ａ及び５９Ｂを有して、背負部１１と伸縮部材５４の第２の端部５４Ｂとを連結するファスナー機構と同様に構成される。
【００５４】
物品収容部５１における伸縮部材５４の第１の端部５４Ａが連結される部分に配された複数の係合部材５６Ａと、背負部１１における伸縮部材５４の第２の端部５４Ｂが連結される部分に配された複数の被係合部材５６Ｂとは、物品収容部５１に第１の端部５４Ａが連結されるとともに背負部１１に第２の端部５４Ｂが連結された伸縮部材５４に収縮状態をとらせ、物品収容部５１を背負部１１に、収縮状態をとる伸縮部材５４を挟んで、近接させたもとで、対応するもの同士が相互離脱可能に相互係合状態をとるものとされる。このようにして、複数の係合部材５６Ａと複数の被係合部材５６Ｂとにおける対応するもの同士が相互係合状態とされるときには、図１２に示されるように、物品収容部５１と背負部１１とが、連結手段６０により、物品収容部５１が背負部１１に近接した状態で相互連結され、物品収容部５１が背負部１１に取り付けられた状態がとられる。
【００５５】
また、図１０あるいは図１３に示されるように、複数の係合部材５６Ａと複数の被係合部材５６Ｂとにおける対応するもの同士が相互離脱状態とされるときには、図１４に示されるように、物品収容部５１に第１の端部５４Ａが連結されるとともに背負部１１に第２の端部５４Ｂが連結された伸縮部材５４に伸長状態をとらせて、物品収容部５１を背負部１１から離隔させることが可能とされ、さらに、伸縮部材５４の第２の端部５４Ｂと背負部１１との連結，伸縮部材５４の第１の端部５４Ａと物品収容部５１との連結、あるいは、それらの両方が解除されたもとでは、例えば、図１３に示されるように、物品収容部５１を背負部１１から取り外すことが可能とされる。
【００５６】
なお、物品収容部５１と伸縮部材５４の第１の端部５４Ａとの連結、及び、背負部１１と伸縮部材５４の第２の端部５４Ｂとの連結を行うファスナー機構は、夫々、例えば、チャック，ジッパー等と呼ばれることが多いものに代えて、マジックファスナー（登録商標）等と呼ばれることが多いものが用いられて構成されてもよい。
【００５７】
また、連結手段６１は、物品収容部５２に連結される第１の端部５５Ａと背負部１１に連結される第２の端部５５Ｂとを有した伸縮部材５５と、物品収容部５２における伸縮部材５５の第１の端部５５Ａが連結される部分に、所定の相互間距離を有して配された複数のホック機構を形成する係合部材５７Ａと、背負部１１における伸縮部材５５の第２の端部５５Ｂが連結される部分に、所定の相互間距離を有して配された複数のホック機構を形成する被係合部材５７Ｂとを含んで構成されている。伸縮部材５５にあっては、第１の端部５５Ａと第２の端部５５Ｂとの間に環状の折り目５５Ｃが設けられていて、折り目５５Ｃを挟んで第１の端部５５Ａと第２の端部５５Ｂとが相互に近接するように折り畳まれることにより収縮状態がとられ、折り目５５Ｃを挟んで第１の端部５５Ａと第２の端部５５Ｂとが相互に離隔するように引き伸ばされることにより伸長状態がとられる。
【００５８】
物品収容部５２と伸縮部材５５の第１の端部５５Ａとの連結、及び、背負部１１と伸縮部材５５の第２の端部５５Ｂとの連結は、夫々、例えば、チャック，ジッパー等と呼ばれることが多いファスナー機構により行われ、このファスナー機構も連結手段６１を構成している。例えば、背負部１１と伸縮部材５５の第２の端部５５Ｂとを連結するファスナー機構は、伸縮部材５５の第２の端部５５Ｂに設けられたエレメント６２Ａと背負部１１に配されたエレメント６２Ｂとを含んで構成される。そして、エレメント６２Ａとエレメント６２Ｂとは、相互係合状態と非係合状態とを選択的にとるものとされ、相互係合状態をとるとき、背負部１１と伸縮部材５５の第２の端部５５Ｂとを連結し、非係合状態をとるとき、背負部１１と伸縮部材５５の第２の端部５５Ｂとの連結を解除する。物品収容部５２と伸縮部材５５の第１の端部５５Ａとを連結するファスナー機構も、エレメント６３Ａ及び６３Ｂを有して、背負部１１と伸縮部材５５の第２の端部５５Ｂとを連結するファスナー機構と同様に構成される。
【００５９】
物品収容部５２における伸縮部材５５の第１の端部５５Ａが連結される部分に配された複数の係合部材５７Ａと、背負部１１における伸縮部材５５の第２の端部５５Ｂが連結される部分に配された複数の被係合部材５７Ｂとは、物品収容部５２に第１の端部５５Ａが連結されるとともに背負部１１に第２の端部５５Ｂが連結された伸縮部材５５に収縮状態をとらせ、物品収容部５２を背負部１１に、収縮状態をとる伸縮部材５５を挟んで、近接させたもとで、対応するもの同士が相互離脱可能に相互係合状態をとるものとされる。このようにして、複数の係合部材５７Ａと複数の被係合部材５７Ｂとにおける対応するもの同士が相互係合状態をとることにより、図１２に示されるように、物品収容部５２と背負部１１とが、連結手段６１により、物品収容部５２が背負部１１に近接した状態で相互連結され、物品収容部５２が背負部１１に取り付けられた状態がとられる。
【００６０】
また、図１０あるいは図１３に示されるように、複数の係合部材５７Ａと複数の被係合部材５７Ｂとにおける対応するもの同士が相互離脱状態とされるときには、図１４に示されるように、物品収容部５２に第１の端部５５Ａが連結されるとともに背負部１１に第２の端部５５Ｂが連結された伸縮部材５５に伸長状態をとらせて、物品収容部５２を背負部１１から離隔させることが可能とされ、さらに、伸縮部材５５の第２の端部５５Ｂと背負部１１との連結，伸縮部材５５の第１の端部５５Ａと物品収容部５２との連結、あるいは、それらの両方が解除されたもとでは、例えば、図１３に示されるように、物品収容部５２を背負部１１から取り外すことが可能とされる。
【００６１】
なお、物品収容部５２と伸縮部材５５の第１の端部５５Ａとの連結、及び、背負部１１と伸縮部材５５の第２の端部５５Ｂとの連結を行うファスナー機構も、夫々、例えば、チャック，ジッパー等と呼ばれることが多いものに代えて、マジックファスナー（登録商標）等と呼ばれることが多いものが用いられて構成されてもよい。
【００６２】
物品収容部５１と物品収容部５２とには、物品収容部５１の下端部に配されたエレメント５３Ａと、物品収容部５２の上端部に配されて、必要に応じてエレメント５３Ａと相互係合せしめられる状態におかれるエレメント５３Ｂとを有して形成された、例えば、チャック，ジッパー等と呼ばれることが多いファスナー機構が設けられている。このファスナー機構は、エレメント５３Ａとエレメント５３Ｂとが相互係合状態におかれることにより、物品収容部５１と物品収容部５２とを相互連結させるものとされている。
【００６３】
この物品収容部５１と物品収容部５２とを相互連結させるファスナー機構も、例えば、チャック，ジッパー等と呼ばれることが多いものに代えて、マジックファスナー（登録商標）等と呼ばれることが多いものが用いられて構成されてもよい。
【００６４】
上述のように、物品収容部５１及び５２，伸縮部材５４を含んで構成される連結手段６０及び伸縮部材５５を含んで構成される連結手段６１が備えられた、本願の特許請求の範囲における請求項１１に記載された発明に係るリュックサックの例、即ち、実施例２にあっては、下記の第１の状態からから第４の状態までのうちのいずれかがとられる。
【００６５】
第１の状態：背負部１１に物品収容部５１及び５２の両者が取り付けられた状態。この状態のもとでは、エレメント５３Ａとエレメント５３Ｂとにより構成されるファスナ機構により、物品収容部５１と物品収容部５２とを相互連結させることができる。
【００６６】
第２の状態：背負部１１に物品収容部５１が取り付けられ、物品収容部５２が背負部１１から取り外された状態。
【００６７】
第３の状態：背負部１１に物品収容部５２が取り付けられ、物品収容部５１が背負部１１から取り外された状態。
【００６８】
第４の状態：物品収容部５１及び５２の両者が背負部１１から取り外された状態。
【００６９】
このような実施例２が使用者により背負われて使用されているもとで、例えば、使用者の背上に配された背負部１１が急激に移動すると、ガス膨張バッグ２０，２４，２８，３０及び３１が形成するガス膨張手段，ガスボンベを内蔵するガス供給手段４０、及び、ガス供給手段４０に取り付けられたワイヤー４１が形成するガス供給制御手段を含む部分によって構成されるガス膨張保護システムが作動する。その際には、背負部１１の急激な移動に応答したワイヤー４１を通じて、ガス供給手段４０に所定以上の引っ張り力が作用せしめられ、ガス供給手段４０におけるガスボンベのガス排出口が閉状態から開状態に移行して、前述のように、ガス供給手段４０が、内蔵するガスボンベからのガスを、ガス通路を通じて、背負部１１に設けられたバッグ収納部１６に収縮状態とされて収納されたガス膨張バッグ２８，ウエストベルト１３Ｌ及び１３Ｒの夫々に設けられたバッグ収納部２１に収縮状態とされて収納されたガス膨張バッグ２０，ショルダーベルト１４Ｌ及び１４Ｒの夫々に設けられたバッグ収納部２５に収縮状態とされて収納されたガス膨張バッグ２４、及び、背負部１１の本体部側対向部１１Ｂに収縮状態とされて配されたガス膨張バッグ３０及び３１の夫々に供給する状態におかれる。
【００７０】
それにより、ガス膨張バッグ２８，２０，２４，３０及び３１の夫々が、供給されるガスにより急速膨張するが、その際、上述の第１の状態がとられているときには、以下のような動作が行われる。即ち、図１４に示されるように、ガス膨張バッグ２８が、バッグ収納部１６に設けられたバッグ用開口部を通じて外部に飛び出す急速膨張を確実に行って、背負部１１を背負った使用者の頸部及びその周囲部分の保護を図るものとなり、２つのガス膨張バッグ２０の夫々が、バッグ収納部２１に設けられたバッグ用開口部を通じて外部に飛び出す急速膨張を確実に行って、背負部１１を背負った使用者の左右側腹部及びその周囲部分の保護を図るものとなり、２つのガス膨張バッグ２４の夫々が、バッグ収納部２５に設けられたバッグ用開口部を通じて外部に飛び出す急速膨張を確実に行って、背負部１１を背負った使用者の左右胸部及びその周囲部分の保護を図るものとなる。さらに、ガス膨張バッグ３０及び３１が、急速膨張に伴って物品収容部５１及び５２の両者を背負部１１の背後側に押圧し、それにより、複数のホック機構を形成するものとして相互係合状態にあった複数の係合部材５６Ａと複数の被係合部材５６Ｂとにおける対応するもの同士に、相互離脱状態をとらせ、また、複数のホック機構を形成するものとして相互係合状態にあった複数の係合部材５７Ａと複数の被係合部材５７Ｂとにおける対応するもの同士にも、相互離脱状態をとらせて、伸縮部材５４及び５５の両者を収縮状態から伸長状態に移行させるとともに、物品収容部５１及び５２の両者を背負部１１から離隔する方向に移動させる。それにより、ガス膨張バッグ３０及び３１の夫々が、図１４に示されるように、物品収容部５１及び５２と背負部１１との間において、背負部１１の本体部側対向部１１Ｂに設けられたバッグ用開口部を通じて外部に飛び出す急速膨張を、物品収容部５１及び５２に妨げられることなく、確実に行って、背負部１１を背負った使用者の背部，腰部及びそれらの周囲部分の保護を図るものとなる。
【００７１】
また、ガス膨張バッグ２８，２０，２４，３０及び３１の夫々が、供給されるガスにより急速膨張する際に、前述の第２の状態もしくは第３の状態がとられているときには、以下のような動作が行われる。即ち、ガス膨張バッグ２８が、バッグ収納部１６に設けられたバッグ用開口部を通じて外部に飛び出す急速膨張を確実に行って、背負部１１を背負った使用者の頸部及びその周囲部分の保護を図るものとなり、２つのガス膨張バッグ２０の夫々が、バッグ収納部２１に設けられたバッグ用開口部を通じて外部に飛び出す急速膨張を確実に行って、背負部１１を背負った使用者の左右側腹部及びその周囲部分の保護を図るものとなり、２つのガス膨張バッグ２４の夫々が、バッグ収納部２５に設けられたバッグ用開口部を通じて外部に飛び出す急速膨張を確実に行って、背負部１１を背負った使用者の左右胸部及びその周囲部分の保護を図るものとなる。さらに、ガス膨張バッグ３０及び３１が、急速膨張に伴って物品収容部５１もしくは物品収容部５２を背負部１１の背後側に押圧し、それにより、複数のホック機構を形成するものとして相互係合状態にあった複数の係合部材５６Ａと複数の被係合部材５６Ｂとにおける対応するもの同士に、相互離脱状態をとらせ、もしくは、複数のホック機構を形成するものとして相互係合状態にあった複数の係合部材５７Ａと複数の被係合部材５７Ｂとにおける対応するもの同士に、相互離脱状態をとらせて、伸縮部材５４もしくは伸縮部材５５を収縮状態から伸長状態に移行させるとともに、物品収容部５１もしくは物品収容部５２を背負部１１から離隔する方向に移動させる。それにより、ガス膨張バッグ３０及び３１の夫々が、物品収容部５１もしくは物品収容部５２と背負部１１との間において、背負部１１の本体部側対向部１１Ｂに設けられたバッグ用開口部を通じて外部に飛び出す急速膨張を、物品収容部５１もしくは物品収容部５２に妨げられることなく、確実に行って、背負部１１を背負った使用者の背部，腰部及びそれらの周囲部分の保護を図るものとなる。
【００７２】
さらに、ガス膨張バッグ２８，２０，２４，３０及び３１の夫々が、供給されるガスにより急速膨張する際に、前述の第４の状態がとられているときには、既に述べられた、本願の特許請求の範囲における請求項１から請求項１０までのいずれかに記載された発明に係るリュックサックの一例、即ち、実施例１において本体部１０が背負部１１から取り外された状態にあるときの動作と同様な動作が行われる。
【実施例３】
【００７３】
上述の実施例１及び実施例２の夫々にあっては、背負部１１を背負った使用者の頸部及びその周囲部分，胸部及びその周囲部分，側腹部及びその周囲部分，背部及びその周囲部分、及び、腰部及びその周囲部分について、それら全ての保護を図るべく、背負部１１，左右のウエストベルト１３Ｌ及び１３Ｒ、及び、左右のショルダーベルト１４Ｌ及び１４Ｒに複数のガス膨張バッグ２８，２０，２４，３０及び３１が備えられているが、背負部１１を背負った使用者の頸部及びその周囲部分，背部及びその周囲部分、及び、腰部及びその周囲部分のうちの少なくとも１つの保護を図るべく、備えられるガス膨張バッグが適宜選択されてもよい。また、ガス供給手段４０は、備えられるガス膨張バッグの大きさや個数に応じて、その個数及び配置位置が適宜選定されてもよい。その際には、ガス供給制御手段を形成するものとされて、複数のガス供給手段に夫々取り付けられる複数のワイヤーが、例えば、各々の先端部が一つに纏められるものとされることが考えられる。
【００７４】
また、環状伸縮部材３５、さらには、伸縮部材５４及び５５の夫々は、折り畳まれた収縮状態とその折り畳まれた状態から解放された伸長状態とを選択的にとるものとされているが、環状伸縮部材３５、さらには、伸縮部材５４及び５５の夫々が、ニット等の伸縮性素材が用いられたものとされ、その伸縮性素材により、収縮状態と伸長状態とを選択的にとるものとされてもよい。さらに、ガス膨張バッグ２８，２０，２４，３０及び３１の夫々にガス供給手段４０からのガスが供給される状態となすワイヤー４１は、オートバイ等に連結されるものとされるのではなく、必要に応じて、例えば、背負部１１を背負った使用者により引かれて、ガス供給手段４０に所定以上の引っ張り力を作用させるものとされてもよい。
【産業上の利用可能性】
【００７５】
以上のような本願の特許請求の範囲における請求項１から請求項１０までのいずれかに記載された発明に係るリュックサックは、その使用者が、例えば、二輪車に搭乗しているもとでまねかれる災難等の様々な災難に遭遇したとき、当該使用者の保護を図ることができるものとして、広く活用され得るものである。
【図面の簡単な説明】
【００７６】
【図１】本願の特許請求の範囲における請求項１から請求項１０までのいずれかに記載された発明に係るリュックサックの一例を示す斜視図である。
【図２】図１に示される例の説明に供される背面図である。
【図３】図１に示される例の説明に供される斜視図である。
【図４】図１に示される例の説明に供される側面図である。
【図５】図１に示される例の説明に供される正面図である。
【図６】図１に示される例の説明に供される側面図である。
【図７】図１に示される例の説明に供される側面図である。
【図８】図１に示される例の説明に供される側面図である。
【図９】図１に示される例の説明に供される側面図である。
【図１０】本願の特許請求の範囲における請求項１１に記載された発明に係るリュックサックの一例を示す斜視図である。
【図１１】図１０に示される例の説明に供される背面図である。
【図１２】図１０に示される例の説明に供される側面図である。
【図１３】図１０に示される例の説明に供される側面図である。
【図１４】図１０に示される例の説明に供される側面図である。
【符号の説明】
【００７７】
１０，・・・本体部，  １１・・・背負部，  １３Ｌ，１３Ｒ・・・ウエストベルト，  １４Ｌ，１４Ｒ・・・ショルダーベルト，  １６，２１，２５・・・バッグ収納部，  ２０，２４，２８，３０，３１・・・ガス膨張バッグ，  ３５・・・環状伸縮部材，  ３７Ａ，５６Ａ，５７Ａ・・・係合部材，  ３７Ｂ，５６Ｂ，５７Ｂ・・・被係合部材，  ３８Ａ，３８Ｂ，３９Ａ，３９Ｂ・・・環状エレメント，  ４０・・・ガス供給手段，  ４１・・・ワイヤー，  ５０，６０，６１・・・連結手段，  ５１，５２・・・物品収容部５２，  ５３Ａ，５３Ｂ，５８Ａ，５８Ｂ，５９Ａ，５９Ｂ，６２Ａ，６２Ｂ，６３Ａ，６３Ｂ・・・エレメント，  ５４，５５・・・伸縮部材
【図１】
2006141567.tif 000003
【図２】
2006141567.tif 000004
【図３】
2006141567.tif 000005
【図４】
2006141567.tif 000006
【図５】
2006141567.tif 000007
【図６】
2006141567.tif 000008
【図７】
2006141567.tif 000009
【図８】
2006141567.tif 000010
【図９】
2006141567.tif 000011
【図１０】
2006141567.tif 000012
【図１１】
2006141567.tif 000013
【図１２】
2006141567.tif 000014
【図１３】
2006141567.tif 000015
【図１４】
2006141567.tif 000016